(57)【要約】      （修正有）【課題】フリッカが十分に抑制された表示装置を製造する方法を提供する。【解決手段】表示領域ＤＲのうちの一部分にのみフリッカパターンを表示した状態で、フリッカが最小となるように上部共通電極に印加する電圧の直流レベルを調整することにより、表示領域全体にフリッカパターンを表示させる場合に比べてドライバや電源回路に加わる偏った負荷を低減することが出来る。このため、フリッカ調整時の基準電圧のＤＣレベルと画像表示時の基準電圧のＤＣレベルとの差を低減でき、精密且つ正確なフリッカ調整を行うことが出来る。【選択図】図４
2007156247.tif 000002
【特許請求の範囲】
【請求項１】
相互に並行に延びる複数のソースラインと、該複数のソースラインに交差して相互に並行に延びる複数のゲートラインと、それぞれ該ソースラインと該ゲートラインとに電気的に接続された複数のスイッチング素子と、それぞれ該スイッチング素子に電気的に接続され、表示領域に所定配列で配列された複数の画素電極とを有するアクティブマトリクス基板と、
上記複数の画素電極に対向して設けられた上部共通電極を有する対向基板と、
上記複数の画素電極と上記上部共通電極との間に設けられた表示媒体層と、
を備え、
１又は複数の上記ゲートライン毎に、該ゲートラインに上記スイッチング素子を介して電気的に接続された上記画素電極の極性が交互に異なるように上記ソースラインに電圧を印加して駆動される表示装置の製造方法であって、
上記表示領域のうちの一部分にのみフリッカパターンを表示した状態で、該フリッカパターンが表示された領域におけるフリッカが最小となるように上記上部共通電極に印加する電圧の直流レベルを調整することを特徴とする表示装置の製造方法。
【請求項２】
請求項１に記載された表示装置の製造方法において、
上記フリッカパターンは、上記複数のソースラインのうち上記フリッカパターンを表示させる部分を通過するように配置された複数のソースラインに、黒表示をするための黒電圧と、中間調表示をするための中間調電圧とを、交互に印加することにより表示されることを特徴とする表示装置の製造方法。
【請求項３】
請求項１に記載された表示装置の製造方法において、
上記フリッカパターンは黒表示された部分と中間調表示された部分とが交互に配列されてなることを特徴とする表示装置の製造方法。
【請求項４】
請求項１に記載された表示装置の製造方法において、
上記表示装置は、上記ゲートライン毎に、該ゲートラインに上記スイッチング素子を介して電気的に接続された上記画素電極の極性が交互に異なるように上記ソースラインに電圧を印加して駆動されることを特徴とする表示装置の製造方法。
【請求項５】
請求項３に記載された表示装置の製造方法において、
上記上部共通電極に印加する電圧の直流レベルを調整する際に、上記複数のソースラインのうち上記表示領域のうち上記フリッカパターンが表示されていない部分を通過するように配置された複数のソースラインのそれぞれに上記中間調電圧を印加することにより、上記表示領域のうち上記フリッカパターンが表示されていない部分を中間調表示することを特徴とする表示装置の製造方法。
【請求項６】
請求項１に記載された表示装置の製造方法において、
上記スイッチング素子は薄膜トランジスタ素子であることを特徴とする表示装置の製造方法。
【請求項７】
請求項１に記載された表示装置の製造方法において、
上記表示媒体層は液晶層であることを特徴とする表示装置の製造方法。
【発明の詳細な説明】
【技術分野】
【０００１】
本発明は表示装置の製造方法に関する。詳細には、複数のスイッチング素子が配置されたアクティブマトリクス基板を備えた表示装置の製造方法に関する。
【背景技術】
【０００２】
液晶層などの表示媒体層に直流電圧が印加されると信頼性の問題が生じることが従来から知られている。このため、一般的に、表示媒体層を備えた表示装置の駆動は交流によって行われ、且つ、表示媒体層に直流電圧成分が印加されないように、外部から印加する信号の直流レベルは表示装置の特性に応じて調整されている。
【０００３】
例えば、１Ｈ反転駆動される液晶表示装置における、上部共通電極（対向電極）の印加電圧の直流レベルの調整方法として、フリッカ画面を利用した方法（本明細書において、この調整方法を「フリッカ調整法」と称呼することとする。）が知られている（例えば、特許文献１等）。具体的に、フリッカ調整法とは、一方の極性の画素電極を黒表示すると共に、他方の極性の画素電極を中間調表示することにより、擬似的に中間調のフレーム反転駆動のような表示状態を再現し、その状態においてフリッカが最小となるように上部共通電極に印加する電圧を調節する方法である。
【特許文献１】特開平７−７２４５６号公報
【発明の開示】
【発明が解決しようとする課題】
【０００４】
フリッカ調整法では、例えば、ノーマリーブラックの液晶表示装置の場合、偶数フレームの奇数番目のゲートライン（垂直奇数ライン）に対応するタイミングにはソースラインに電圧を印加せず（すなわち、黒を表示させるためにソースラインの電位を０Ｖとし）、偶数番目のゲートライン（垂直偶数ライン）に対応するタイミングにはソースラインに中間調表示をするためのプラス電圧を印加する。次の奇数フレームの垂直奇数ラインに対応するタイミングにはソースラインに電圧を印加せず、一方、垂直偶数ラインに対応するタイミングにはソースラインに中間調表示をするためのマイナス電圧を印加する。このため、ドライバや電源回路は１フレーム期間に亘って同一極性の電圧を維持し続けなければならない。従って、これらドライバや電源回路に偏った負荷がかかり、フリッカ調整時の基準電圧のＤＣレベルと画像表示時の（１Ｈ反転駆動時の）基準電圧のＤＣレベルとの間に差が生じる。画像表示時の基準電圧のＤＣレベルからずれたＤＣレベルの基準電圧においてフリッカ調整法を行ったとしても、精密且つ正確にフリッカ調整を行うことができない。このため、フリッカが十分に抑制された液晶表示装置を得ることが困難であるという問題がある。
【０００５】
本発明は係る点に鑑みてなされたものであり、その目的とするところは、フリッカが十分に抑制された表示装置を製造する方法を提供することにある。
【０００６】
尚、上述の問題は液晶表示装置に特有の問題ではなく、アクティブマトリクス基板を備えた表示装置（例えば、有機・無機エレクトロルミネッセンス表示装置やプラズマ表示装置等）に共通した問題である。
【課題を解決するための手段】
【０００７】
本発明に係る製造方法は、アクティブマトリクス基板と、対向基板と、表示媒体層とを備え、１又は複数のゲートライン毎に、ゲートラインにスイッチング素子を介して電気的に接続された画素電極の極性が交互に異なるようにソースラインに電圧を印加して駆動される表示装置（すなわち、１Ｈ反転駆動、又はｎＨ反転駆動（ｎ≧２）される表示装置）を製造するための方法である。アクティブマトリクス基板は、相互に並行に延びる複数のソースラインと、複数のソースラインに交差して相互に並行に延びる複数のゲートラインと、それぞれソースラインとゲートラインとに電気的に接続された複数のスイッチング素子と、それぞれスイッチング素子に電気的に接続され、表示領域に所定配列で配列された複数の画素電極とを有する。対向基板は複数の画素電極に対向して設けられた上部共通電極（対向電極）を有する。表示媒体層は複数の画素電極と上部共通電極との間に設けられている。
【０００８】
本発明に係る製造方法は、表示領域のうちの一部分にのみフリッカパターンを表示した状態で、フリッカが最小となるように上部共通電極に印加する電圧の直流レベルを調整することを特徴とする。
【０００９】
このように表示領域の一部にのみフリッカパターンを表示させることにより、表示領域全体にフリッカパターンを表示させた場合よりも、フリッカパターンを表示させることによりドライバや電源回路に加わる、偏った負荷を低減することができる。このため、フリッカ調整時の基準電圧のＤＣレベルと画像表示時の（１Ｈ反転駆動時の）基準電圧のＤＣレベルとの差を低減することができる。従って、精密且つ正確なフリッカ調整を行うことができるので、フリッカが十分に抑制された液晶表示装置を製造することができる。
【００１０】
尚、スイッチング素子は、例えば、薄膜トランジスタ（ＴＦＴ）素子、ＴＦＤ（Ｔｈｉｎ  ｆｉｌｍ  ｄｉｏｄｅ）素子、ＭＩＭ（Ｍｅｔａｌ−Ｉｎｓｕｌａｔｏｒ−Ｍｅｔａｌ）ダイオード素子等であってもよい。
【００１１】
また、本明細書において「表示媒体層」とは、互いに対向する電極間の電位差により光透過率又は光反射率が変調される層、若しくは互いに対向する電極間を流れる電流により自発光する層をいう。表示媒体層の具体例としては、例えば、液晶層、無機または有機エレクトロルミネッセンス層、発光ガス層、電気泳動層、エレクトロクロミック層等が挙げられる。
【００１２】
また、「フリッカが最小となる」場合とは、表示領域を目視した場合に、フリッカが最も目立たなくなると判断される場合のことをいう。
【００１３】
本発明に係る製造方法では、フリッカパターンは、フリッカパターンを表示させる部分を通過するように配置された複数のソースラインに、黒表示をするための黒電圧と、中間調表示をするための中間調電圧とを交互に印加することにより表示させるものであってもよい。尚、例えばノーマリーブラックの表示装置では、黒表示をするためにソースラインに印加する電圧は０Ｖ又は表示媒体層の閾値以下の電圧となる。
【００１４】
本発明に係る製造方法において、フリッカパターンは黒表示された部分と中間調表示された部分とが交互に配列されてなるものであってもよい。その場合、上部共通電極に印加する電圧の直流レベルを調整する際に、複数のソースラインのうち表示領域のうちフリッカパターンが表示されていない部分を通過するように配置された複数のソースラインのそれぞれに中間調電圧を印加することより、表示領域のうちフリッカパターンが表示されていない部分を中間調表示することが好ましい。この構成では、フリッカパターンの表示中に基準電圧のＤＣレベルが変動すると、フリッカパターンが表示されているときに画素への書き込みを行っているフリッカパターン以外の部分、すなわち、ゲートラインの延びる方向においてフリッカパターンが表示された領域に隣接する領域と、そのフリッカパターンが表示された領域とで表示色や輝度に差異が生じる。このため、目視により基準電圧のＤＣレベルの変位を検知することが可能となる。従って、製造工程においてフリッカ調整の成否を監視することが可能となる。
【発明の効果】
【００１５】
以上説明したように、本発明によれば、フリッカ調整時における基準電圧のＤＣレベルの変位を抑制することができるため、フリッカが十分に抑制された表示装置を製造することができる。
【発明を実施するための最良の形態】
【００１６】
以下、本発明の実施形態について、図面を参照しながら詳細に説明する。
【００１７】
図１は本実施形態に係る液晶表示装置１の主要部材の構成を表す図である。
【００１８】
図２は図１中の点線ＩＩで囲われた部分の拡大図である。
【００１９】
図３は液晶表示装置１の正面図である。
【００２０】
本実施形態に係る液晶表示装置１は、アクティブマトリクス基板とアクティブマトリクス基板に対向して配置された対向基板と、アクティブマトリクス基板と対向基板との間に設けられた液晶層とを有する。アクティブマトリクス基板には、複数のゲートライン１０と、複数のソースライン１１とが設けられている。複数のゲートライン１０と複数のソースライン１１との交点近傍のそれぞれには、ゲートライン１０及びソースライン１１の双方に電気的に接続されたスイッチング素子（例えばＴＦＴ素子）１２が設けられている。
【００２１】
アクティブマトリクス基板の表面には、表示領域ＤＲに所定配列で配列された複数の画素電極１３が配置されている。複数の画素電極１３のそれぞれはスイッチング素子１２に電気的に接続されており、そのスイッチング素子１２を介して、ソースライン１１から画素電極１３に電圧が印加される仕組みになっている。
【００２２】
一方、対向基板には、アクティブマトリクス基板の表面に設けられた画素電極１３に対向するように上部共通電極（対向電極）が設けられている。液晶層はこの上部共通電極と画素電極１３との間に設けられている。
【００２３】
各ゲートライン１０は走査側駆動回路１４に接続されている。走査側駆動回路１４は、各ゲートライン１０が接続された走査側ドライバ１５と、その走査側ドライバ１５が接続された走査側制御回路１６とにより構成されている。走査側ドライバ１５は、さらに書き込み駆動電源回路２０にも接続されている。書き込み駆動電源回路２０は、走査側ドライバ１５に接続された書き込み駆動電圧生成回路２１と、その書き込み駆動電圧生成回路２１に接続された書き込み電源回路２２とにより構成されている。一方、走査側制御回路１６は駆動制御回路２６に接続されている。
【００２４】
各ソースライン１１はデータ側駆動回路１７に接続されている。データ側駆動回路１７は、各ソースライン１１が接続されたデータ側ドライバ１８と、そのデータ側ドライバ１８が接続されたデータ側制御回路１９とにより構成されている。データ側ドライバ１８は、さらに変調駆動電源回路２３にも接続されている。変調駆動電源回路２３は、データ側ドライバ１８が接続された変調電圧選択回路２４と、その変調電圧選択回路２４が接続された変調電源回路２５とにより構成されている。一方、データ側制御回路１９は駆動制御回路２６に接続されている。
【００２５】
駆動制御回路２６は外部より入力される入力信号に応じて液晶表示装置１の各部の動作タイミングを制御する。変調駆動電源回路２３は外部より入力される駆動回路用電圧を変調基準電圧に変換すると共に、ランプ波を生成する。データ側駆動回路１７は、変調駆動電源回路２３で発生させたランプ波並びに駆動制御回路２６から入力される制御信号と表示データ信号とに応じて、変調駆動電源回路２３で発生させた変調基準電圧をソースライン１１に印加する。一方、書き込み駆動電源回路２０は、外部より入力される駆動回路用電圧を正極性のパルス状の書き込み電圧に変換する。走査側駆動回路１４は、書き込み駆動電源回路２０で発生させた書き込み電圧を、駆動制御回路２６から入力される制御信号に応じてゲートライン１０に印加する仕組みとなっている。
【００２６】
以上説明した、図１に示す液晶表示装置１の主要部材は、図３に示すように、表示領域ＤＲが露出するように筐体２に収納されている。
【００２７】
尚、液晶表示装置１は、ノーマリーブラックの１Ｈライン反転駆動される表示装置である。すなわち、１走査ごとにソースライン１１に印加する電圧の極性を反転させて、隣接するゲートライン１０に接続された画素電極１３相互間で印加される電圧の極性が相互に異なるようにソースライン１１に電圧を印加して駆動されるものである。
【００２８】
次に、本実施形態１に係る液晶表示装置１の製造方法について詳細に説明する。詳細には、液晶表示装置１の組み立て後、上部共通電極から液晶層へ印加する電圧を調整する調整工程について詳細に説明する。
【００２９】
図４は調整工程における液晶表示装置１の状態を表す正面図である。
【００３０】
まず、図４に示すように、表示領域ＤＲの一部分に（例えば、表示領域ＤＲのほぼ中央部分に）フリッカパターンを表示させる（本明細書において、「フリッカパターンを表示させる領域」を「フリッカ領域ＦＲ」と称呼することとする。）。具体的には、例えば、フリッカ領域ＦＲを通過するように配置された各ソースライン１１に、黒表示をするための黒電圧と、中間調表示をするための中間調電圧とを、選択されるゲートライン１０が変わる度に交互に印加することによりフリッカパターンを表示させる。
【００３１】
さらに具体的には、例えば、偶数フレームの奇数番目のゲートライン１０に対応するタイミングにはソースライン１１に電圧を印加せず（すなわち、奇数番目のゲートライン１０に電気的に接続された画素電極１３には電圧を印加せず、対応する画素に黒表示をさせ）、偶数番目のゲートライン１０に対応するタイミングには、ソースライン１１にプラスの極性の中間調電圧を印加して（すなわち、偶数番目のゲートライン１０に電気的に接続された画素電極１３にプラスの極性の中間調電圧を印加して）、対応する画素に中間調表示をさせる。そして次の奇数フレームの奇数番目のゲートライン１０に対応するタイミングにはソースライン１１に電圧を印加せず（すなわち、奇数番目のゲートライン１０に電気的に接続された画素電極１３には電圧を印加せず、対応する画素に黒表示をさせ）、偶数番目のゲートライン１０に対応するタイミングには、ソースライン１１にマイナスの極性の中間調電圧を印加して（すなわち、偶数番目のゲートライン１０に電気的に接続された画素電極１３にマイナスの極性の中間調電圧を印加して）、対応する画素に中間調表示をさせる。すなわち、奇数番目のゲートライン１０に電気的に接続された画素電極１３には常に電圧を印加せず、偶数番目のゲートライン１０に電気的に接続された画素電極１３には中間調表示を表示させるための電圧（中間調電圧）を、１フレームごとに極性を反転させて印加することにより、フリッカパターンを表示させる。
【００３２】
このようにしてフリッカパターンを表示させた状態で、上部共通電極に印加する電圧を調整し、フリッカ領域ＦＲに表示されたフリッカパターンの変化を目視観察（又は、測定機器により測定）する。そして、フリッカが最小となる上部共通電極に印加する電圧を検出し、設定する。このような調整工程を行うことによってフリッカが抑制された液晶表示装置１を製造することができる。
【００３３】
このように、例えば、奇数番目のゲートライン１０に電気的に接続された画素電極１３には電圧を印加せず、偶数番目のゲートライン１０に電気的に接続された画素電極１３には中間調電圧を印加することによりフリッカパターンを表示した場合、１フレーム期間という比較的長い期間に亘って所定の極性の電圧を維持する必要がある。このため、データ側駆動回路１７等の各回路に偏った負荷がかかることとなる。
【００３４】
データ側駆動回路１７等の各回路に偏った負荷がかかると、基準電圧のＤＣレベルが画像を表示させるとき（１Ｈ反転駆動するとき）の基準電圧のＤＣレベルからずれてしまう。
【００３５】
また、共通回路は外部の駆動回路（図示せず）に接続されており、その外部の駆動回路により共通電極の電位が一定に保持されている。又は、共通電極に交流駆動しつつ、共通電極の直流レベルが一定に保持されている。しかし、フリッカパターンを表示させると、対向電極にかかる負荷に極性的な偏りが生じる。このため、フリッカパターンを表示させた場合に上部共通電極に印加される基準電圧の直流レベルと、例えば、１Ｈ反転駆動する場合に上部共通電極に印加される基準電圧の直流レベルとにずれが生じる。
【００３６】
例えば、フリッカパターンを表示領域ＤＲ全体に表示した場合は、データ側駆動回路１７等に比較的大きな偏った負荷がかかるため、基準電圧のＤＣレベルが画像を表示させるときの基準電圧のＤＣレベルから大きくずれてしまう。このため、上部共通電極に印加する電圧を精密且つ正確に調整・設定することが困難となる。
【００３７】
それに対して、本実施形態では、フリッカパターンを表示領域ＤＲのほぼ中央に位置する部分にのみ表示させる。すなわち、フリッカ領域ＦＲの面積が比較的小さい。このため、データ側駆動回路１７等にかかる負荷を低減することができる。従って、調整工程における基準電圧のＤＣレベルが、画像を表示させるときの基準電圧のＤＣレベルからずれることを抑制することができる。その結果、上部共通電極に印加する電圧を精密且つ正確に調整・設定することが可能となり、フリッカが十分に抑制された液晶表示装置１を実現することが可能となる。
【００３８】
尚、本実施形態では、ランプ波形を用いて変調基準電圧を生成する方法を例に挙げて説明したが、例えば、ＲＤＡＣ法等を用いてもよい。尚、「ＲＤＡＣ法」とは、外部から供給した複数の基準電圧を複数の直列抵抗で接続し、表示データ信号に応じて複数の直列抵抗のいずれかを選択することによって所望の電圧値を得る方法をいう。このＲＤＡＣ法を用いた場合でも、基準電圧を供給する側のバッファ回路にかかる負荷に偏りが生じると、フリッカパターン表示時の基準電圧や選択されるべき電圧が駆動時の基準電圧や選択されるべき電圧からずれるという現象が生じる。しかしながら、このＲＤＡＣ法を適用した場合においても、本実施形態のようにフリッカパターンを表示領域ＤＲの一部にのみ表示させることにより基準電圧等のずれを抑制することができる。このため、フリッカが十分に抑制された表示装置を実現することができる。
【００３９】
また、例えば、図５や図６に示すようにフリッカ領域ＦＲを形成してもよい。例えば、図５に示すように、表示領域ＤＲのうちゲートライン１０の延びる方向における一部にのみフリッカ領域ＦＲを形成することにより、各ゲートライン１０が選択されている瞬間において、フリッカ領域ＦＲを通過するソースライン１１には極性の偏った電圧が印加されるものの、フリッカ領域ＦＲを通過しないソースライン１１には、ほぼ対称の正負の電圧が交番状に印加される。このため、全表示領域ＤＲにフリッカパターンを表示する場合と比較して、データ側駆動回路１７等のデータ側の各回路にかかる負荷が低減される。従って、フリッカ調整時と駆動時との基準電圧の電圧レベルのずれを抑制することができ、高精度なフリッカ調整が可能となる。
【００４０】
また、図６に示すように、表示領域ＤＲのうちソースライン１１の延びる方向における一部にのみフリッカ領域ＦＲを形成した場合は、フリッカ領域ＦＲの走査期間中のデータ側駆動回路１７にかかる負荷は、全画面にフリッカパターンを表示したときと同様であるものの、負荷のかかる機関が１フレームのうちの一部にすぎない。このため、データ側駆動回路１７等のデータ側の各回路における電圧のずれを抑制することができる。
【００４１】
尚、上述の調整工程においては、表示領域ＤＲのうちフリッカ領域ＦＲ以外の領域を中間調表示することが好ましい。すなわち、表示領域ＤＲのうちフリッカ領域ＦＲを除く領域を通過するように配置されたソースライン１１に中間調電圧を印加することが好ましい。この場合、調整工程において基準電圧のＤＣレベルが変化しなければフリッカ領域ＦＲとフリッカ領域ＦＲ以外の領域とは同じ輝度及び色調で表示される。仮に、基準電圧のＤＣレベルが変化するとフリッカ領域ＦＲとフリッカ領域ＦＲ以外の領域とで輝度や色調が相互に異なることとなる。このため、フリッカ領域ＦＲ以外の領域の色調を監視することにより、基準電圧のＤＣレベルの変位を検知することができる。従って、この構成によれば、フリッカ調整の成否を監視することが可能となる。
【００４２】
以上、液晶表示装置を例に挙げて本発明に係る好ましい実施形態について説明したが、本発明は液晶表示装置に限定されるものではない。本発明は、アクティブマトリクス基板を備えた表示装置全般に好適に適用されるものであり、例えば、有機エレクトロルミネッセンス表示装置、無機エレクトロルミネッセンス表示装置、プラズマ表示装置、フィールドエミッション表示装置等にも適用可能である。
【００４３】
また、上記実施形態では１Ｈライン反転駆動される表示装置を例に挙げて説明したが、本発明はこれに限定されるものではなく、例えばｎＨライン反転駆動（ｎ＝２、３、４、５／・・）される表示装置にも適用されるものである。
【００４４】
また、本発明はライン反転駆動される表示装置に限定されるものではない。複数のゲートラインの極性が交互に異なるようにソースラインに電圧を印加して駆動される表示装置であればよく、例えばドット反転駆動される表示装置にも適用される。
【００４５】
また、本発明はノーマリーブラックの液晶表示装置に限定されるものではなく、例えばノーマリーホワイトの液晶表示装置にも適用される。
【産業上の利用可能性】
【００４６】
以上説明したように、本発明に係る製造方法によれば、フリッカが十分に抑制された表示装置を製造することができるため、携帯電話、ＰＤＡ、テレビ、電子ブック、モニター、電子ポスター、時計、電子棚札、非常案内等に有用である。
【図面の簡単な説明】
【００４７】
【図１】液晶表示装置１の主要部材の構成を表す図である。
【図２】図１中の点線ＩＩで囲われた部分の拡大図である。
【図３】液晶表示装置１の正面図である。
【図４】調整工程における液晶表示装置１の状態を表す正面図である。
【図５】フリッカパターンの表示例を表す正面図である。
【図６】フリッカパターンの表示例を表す正面図である。
【符号の説明】
【００４８】
１      液晶表示装置
２      筐体
１０      ゲートライン
１１      ソースライン
１２      スイッチング素子
１３      画素電極
１４      走査側駆動回路
１５      走査側ドライバ
１６      走査側制御回路
１７      データ側駆動回路
１８      データ側ドライバ
１９      データ側制御回路
２０      書き込み駆動電源回路
２１      書き込み駆動電圧生成回路
２２      書き込み電源回路
２３      変調駆動電源回路
２４      変調電圧選択回路
２５      変調電源回路
２６      駆動制御回路
【図１】
2007156247.tif 000003
【図２】
2007156247.tif 000004
【図３】
2007156247.tif 000005
【図４】
2007156247.tif 000006
【図５】
2007156247.tif 000007
【図６】
2007156247.tif 000008